(57)【要約】      （修正有）【課題】外出着や制服或いは携行する身回り品に簡便に装着しえ、且特異な意匠性と視認性を発揮する装飾品を提供する。【解決手段】動物、昆虫、魚、花若しくは果物等の特定部位が合成樹脂軟質フィルム１Ａに印刷され、且その形状が円形若しくは楕円形で、内部に合成樹脂フィルムの片側に再帰性反射溝３Ａが形成された再帰性反射シート３が挾入されて包着基材２が形成され、更に包着基材の上縁部に挾着孔若しくは連結孔４が設けられ、而も印刷された特定部位の嘴等に再帰性反射シートからなり曲折若しくは開閉可能の変形片５が融着された構成とする。【選択図】図１
2015160128.tif 000002
【特許請求の範囲】
【請求項１】
動物、昆虫、魚、花若しくは果物等の特定部位が合成樹脂軟質フィルムに印刷され、且その形状が円形若しくは楕円形で、その内部に合成樹脂軟質フィルムの片側面に三角錐状の再帰性反射溝が膨大数に形成された再帰性反射シートが挾入されて包着基材が形成され、この上縁部には適宜の挾着孔若しくは連結孔が設けられ、而も印刷された特定部位の可動が想定される嘴、耳、鰭、首、花、果物部分を適宜色調の再帰性反射シートを用い、曲折若しくは開閉可能な変形片の曲折若しくは開閉基部が包着基材と融着一体化された構成の意匠性と視認性に優れる装飾品。
【発明の詳細な説明】
【技術分野】
【０００１】  本発明は外出着や制服を初め、外出時等に携行する鞄やスーツケース、或いは化粧用バッグ、携帯電話の身回り品等に、特異なデザインと再帰性光線を創出せしめ、以って高い意匠性と視認性に優れる装飾品に関する。
【背景技術】
【０００２】  我が国では経済成長に伴って生活の基本をなす食、衣、住の充実がなされて来ているが、これらは専ら質的向上に限られて来た。そして更なる生活水準の向上に伴い、今日では単なる質的向上から個性化や自己満足化の消費へと変化しつつある。
即ちかかる事由を食分野で見てみても希少食材や地域限定食材の活用はもとより季節を超えた食材と、且国際的調理法による個性的で多様な味覚並びに食感の料理が多量に消費されるに至っている。
他方衣分野を見ても実用的衣分野は早くから充実され、且衣分野はファッション性が要請され、これがため海外メーカーによる製品が積極的に消費されて来たものの、ファッション製品はライフサイクルも短かく、今日の如く個性化や多様化には却って対処できず、寧ろデザインや色調のシンプル化がなされつつある。【０００３】  これがためには海外メーカーの衣料品や身回品を使用しても、同種デザインや色調の衣料品や身回品が随所で使用され、使用者としての個性化や多様化が発揮しえぬ状況にある。加えて国内における外出着や制服等においても使用素材と色調及びデザインは殆んど同一であって、接客社員の個性化や多様化は殆んど発揮されず接客社員の意識高揚も湧かず、且消費者も外形的に同様に見えるから、製品等の探索で接客社員が離れると相手が不明となることすら再々に発生する。
加えて外出に際しては当然に外出着の他に靴や各種ケース、小物入れや携帯電話等に至るまで多数の身回品を持参する傾向にあり且これらを即時に使用するうえからは、現状では専ら細幅テープ状若しくは撚り紐状の吊り紐所謂ストラップで連結のうえ吊下げ携行している。【０００４】  然るにこれら外出着や制服ではせいぜいブローチやメダル若しくは記章等を衿元に挾着し、或いは身回品等も適宜に着色された細幅テープ若しくは撚り紐からなる吊り紐所謂ストラップで吊り下げ携行することがなされている。
しかしながらブローチやメタル等では極めて小型で且微細な図形や文字のみからなるため特段の美観や個性的意匠の創出にも至らず、特に近年の意匠に求められる可愛らしさや優しさ及びおもしろさすらも感知されない。
更に従来からの身回り品では特段の視認性もなく、往来者の特に路上においては運転者の発見が遅れて交通事故も頻発している。【０００５】  発明者はかかる実情に鑑み鋭意研究を重ねた結果身回り品が高い意匠性や視認性を以って看取されるためには、身回り品が可愛さや親しさ或いはお面白さを持つモチーフが基本で、これがためのデザインとしては動物、昆虫、虫、魚或いは花や果物等の特定部位を印刷した円形状若しくは楕円形の包着基材とすることで、着用使用時の絡みや携行時の接触破損等の防止と且この包着基材内部に熱可燃性合成樹脂フィルムからなる再帰性反射シートを配位し、而も色調の異なる再帰性反射シートで特定部位のデザインの嘴や耳、鰭、首先、花や蕾等を突出状に融着せしめることで、再帰光線と突出形状とにより可愛らしさや親しさ、お面白さ等を包含した高い意匠性と、且再帰光線による早期安全性が実現されることに想致し本発明に至った。
【発明の概要】
【発明が解決しようとする課題】
【０００６】  本発明は外出着や制服或いは携行する身回り品に簡便に装着させて、特異な意匠性と視認性を発揮せしめる装飾品を提供することにある。
【課題を解決するための手段】
【０００７】  上述の課題を解決するために、本発明が採用した技術的手段は、可愛さや親しさ或いはお面白さのモチーフとして、動物や昆虫、魚或いは花や果物等の特定部位が合成樹脂軟質フィルムに印刷されてなり、且その形状が円形若しくは楕円形で、その内部には合成樹脂軟質フィルムの片側面に三角錐状の再帰性反射溝が膨大数に形成された再帰性反射シートが挾入されて包着基材が形成され、加えてこの包着基材の上縁部には外出着や制服を挾着させ若しくは身回り品を吊り下げるストラップと連結させる挾着孔若しくは連結孔が設けられており、而も包着基材に印刷された特定部位の嘴や耳、鰭、首、或いは花や果物部分を、適宜の色調の再帰性反射シートを用いて適宜形状で曲折若しくは開閉可能の変形片が包着基材と融着一体化された構成。
【発明の効果】
【０００８】  本発明は上述の構成からなるため、以下の如き特有の効果を発揮する。即ち合成樹脂軟質フィルム材の一側面には動物や昆虫、魚、或いは花や果物等の特定部位が印刷されてなり、且その内部には合成樹脂軟質フィルムに再帰性反射機能を有する再帰性反射シートが挾入されたうえ、全体が円形若しくは楕円形状に包着基材が形成されてなるため、外出着や制服への挾着や身回り品等への吊り下げも、包着基材の上円部に挾着孔若しくは連結孔が設けられているため簡便に挾着や吊り下げがなしえ、且使用時にも絡みや接触破損等の発生も防止される。【０００９】  そして本発明品では包着機材の表面には動物、昆虫、魚、花、果物等の特定部位が印刷されてなるため、看者には可愛らしさ、優しさ、お面白さが即時に印象付けられ、且包着基材内部には再帰性反射シートが挾入されてなるため、建物外はもとより建物内等の僅かな光源下でも再帰性反射により視認性が発揮され、且夜間においては車輌等の光源を遠距離において受光再帰反射させるため、運転者への発見が著しく高められる。加えて本発明では特定部位の嘴や耳、鰭、首或いは花や果物部分に適宜色調の再帰性反射シートを用い適宜形状で曲折若しくは開閉可能の変形片が融着されてなるため意匠の立体感とともに、多方向の光線によっても再帰反射されて一段と視認性が高められる。
【図面の簡単な説明】
【００１０】
【図１】  本発明の正面説明図である
【図２】  本発明の側面説明図である。
【図３】  制服への使用態様図である。
【図４】  身回り品への使用態様図である。
【発明を実施するための形態】
【００１１】  以下に本発明実施の形態を図１乃至図４に基づき説明する。
【００１２】  図１は本発明の正面説明図であって、本発明は看者をして可愛さや親しさ或いはお面白さを看得せしめるうえから、動物や昆虫、魚、花、若しくは果物等の特定部位、好ましくは動物や昆虫若しくは魚では顔の嘴や耳、鰭、首先等や、花においては花弁や蕾、果物においては枝の付け根等を合成樹脂軟質フィルム１Ａに印刷１Ｂしたうえ、その形状を円形もしくは楕円形状に融切袋状として包着基材２となす。この場合の包着基材２の大きさはその使用が外出着や制服８に挾着使用する場合にはせいぜい３乃至４ｃｍ径程度が使用し易く、且身回り品９に連結使用する場合では、高い意匠性に加えて光再帰性反射による視認性をも発揮させるうえから略４乃至５ｃｍ程度が望まれる。
【００１３】  そしてかかる包着基材２の内訳には、図２において示す如く合成樹脂軟質フィルムの片側面に、微細な三角錐上の再帰性反射溝３Ａが膨大数に形成された再帰性反射シート３が挾入されている。更にかかる包着基材２の上縁部には、図３に示す外出着や制服８に挾着させ若しくは図４に示すように身回り品９に吊り下げストラップと連結させるための挾着孔若しくは連結孔４が設けられている。
加えて本発明における技術的特徴は、一つには看者に高い意匠性を看得せしめること、及び今一つは挾着使用若しくは連結使用に伴う高い視認性を看得せしめることにある。
【００１４】  これがためには可愛さや親しさ或いはお面白さを看取させるために動物や魚等の特定部位が包着基材２の表面に印刷１Ｂされるが、該包着基材２は外表面が平面状で且小型でもあることから、その意匠として微細となりは近くでのみ認識されるに過ぎない。そこで本発明では印刷１Ｂの好ましくは可動が想定される部分即ち嘴や耳、鰭等の部分を適宜の色相の再帰性反射シート３を用いて、曲折若しくは開閉６可能な変形片５を形成のうえ、その曲折若しくは開閉基部７を包着基材２と融着させた構成となす。かかる構成により平面状の包着基材２に印刷１Ｂされた特定部位の意匠も、変形片５の融着により複雑立体的意匠として看取され且変形片５により左右若しくは上下方向からの外部光線に対しても再帰性反射光がなされ、特に光度の低い建物内はもとより夜間における運転者への危険予知等視認性が高く発揮される。
そして本発明ではその上円部に挾着孔若しくは連結孔４が設けられてなるから、外出着や制服８や装身具９への連結も従来の手段で容易になしえる。
【符号の説明】
【００１５】１    本発明日
１Ａ  合成樹脂軟質フィルム
１Ｂ  印刷
２    包着基材
３    再帰性反射シート
３Ａ  再帰性反射溝
４    挾着孔若しくは連結孔
５    変形片
６    曲折若しくは開閉
７    曲折若しくは開閉基部
８    外出着や制服
９    身回り品
【図１】
2015160128.tif 000003
【図２】
2015160128.tif 000004
【図３】
2015160128.tif 000005
【図４】
2015160128.tif 000006